(57)【要約】【課題】セキュリティの観点から個人情報カードの十分な廃棄管理を行うことのできる管理破砕装置。【解決手段】本発明の管理破砕装置（１）は、個人情報カード（１０）から記録されている個人情報を読み取るためのリーダー（２）と、リーダーを介して個人情報の読み取られた個人情報カードを破砕するための破砕部（３）と、リーダーで読み取られた個人情報を情報管理するための情報管理部（５）とを備えている。【選択図】　図１
2004054810.tif 000002
【特許請求の範囲】
【請求項１】
個人情報カードから記録されている個人情報を読み取るためのリーダーと、
前記リーダーを介して個人情報の読み取られた前記個人情報カードを破砕するための破砕部と、
前記リーダーで読み取られた個人情報を情報管理するための情報管理部とを備えていることを特徴とする管理破砕装置。
【請求項２】
前記情報管理部は、前記リーダーで読み取られた個人情報を記録するための記録部と、該記録部に記録されたデータを外部に出力するための出力部とを有することを特徴とする請求項１に記載の管理破砕装置。
【請求項３】
前記出力部は、前記データを所定の記録媒体に書き込むために該記録媒体を駆動するドライバおよび前記データを外部の情報処理装置に出力するための出力ポートのうち少なくともいずれか一方を有することを特徴とする請求項２に記載の管理破砕装置。
【請求項４】
前記情報管理部は、前記個人情報カードを破砕処理する人を特定するＩＤコードを入力するための入力部を有することを特徴とする請求項２または３に記載の管理破砕装置。
【発明の詳細な説明】
【０００１】
【発明の属する技術分野】
本発明は、個人情報カードの管理破砕装置に関するものである。
【０００２】
【従来の技術】
従来、磁気カードやＩＣカードの形態を有するクレジットカードやキャッシュカードのような個人情報カードが知られている。また、住民基本台帳カードの導入および健康保険証のカード化などにより、新たな個人情報カードも普及するものと考えられる。
【０００３】
【発明が解決しようとする課題】
所有者に関する種々の個人情報が記録されているこの種の個人情報カードを期限切れなどにより廃棄する場合、ＩＣチップの再生などによる個人情報の漏洩を防止するためにセキュリティの観点から十分な廃棄管理が必要になることが予想される。
【０００４】
本発明は、前述の課題に鑑みてなされたものであり、セキュリティの観点から個人情報カードの十分な廃棄管理を行うことのできる管理破砕装置を提供することを目的とする。
【０００５】
【課題を解決するための手段】
前記課題を解決するために、本発明では、個人情報カードから記録されている個人情報を読み取るためのリーダーと、
前記リーダーを介して個人情報の読み取られた前記個人情報カードを破砕するための破砕部と、
前記リーダーで読み取られた個人情報を情報管理するための情報管理部とを備えていることを特徴とする管理破砕装置を提供する。
【０００６】
本発明の好ましい態様によれば、前記情報管理部は、前記リーダーで読み取られた個人情報を記録するための記録部と、該記録部に記録されたデータを外部に出力するための出力部とを有する。この場合、前記出力部は、前記データを所定の記録媒体に書き込むために該記録媒体を駆動するドライバおよび前記データを外部の情報処理装置に出力するための出力ポートのうち少なくともいずれか一方を有することが好ましい。また、前記情報管理部は、前記個人情報カードを破砕処理する人を特定するＩＤコードを入力するための入力部を有することが好ましい。
【０００７】
【発明の実施の形態】
本発明の実施形態を、添付図面に基づいて説明する。
図１は、本発明の実施形態にかかる管理破砕装置の構成を概略的に示す図である。図１を参照すると、本実施形態の管理破砕装置１は、廃棄すべき個人情報カード１０から記録されている個人情報を読み取るためのリーダー２と、リーダー２を介して個人情報の読み取られた個人情報カード１０を破砕するための破砕部３とを備えている。
【０００８】
ここで、個人情報カード１０は、たとえば磁気カードまたはＩＣカードの形態を有し、磁気ストライプまたはＩＣモジュールには例えばＩＤ番号、暗証番号、氏名、住所などの個人情報が必要に応じて記録されている。リーダー２は、個人情報カード１０がＩＣカードの形態を有する場合にはＩＣカードリーダーであり、個人情報カード１０が磁気カードの形態を有する場合には磁気カードリーダーである。
【０００９】
破砕部３は、たとえばシュレッダーロールにより構成され、個人情報カード１０がＩＣカードの形態を有する場合にはＩＣモジュールを再生不能に破砕する機能を有し、個人情報カード１０が磁気カードの形態を有する場合には磁気ストライプを再生不能に破砕する機能を有する。破砕部３を介して破砕された個人情報カード１０は、ボックス４の中に収納される。
【００１０】
また、本実施形態の管理破砕装置１は、リーダー２において個人情報カード１０から読み取られた個人情報を情報管理するための情報管理部５を備えている。情報管理部５は、リーダー２で読み取られた個人情報を記録するための記録部５ａと、記録部５ａに記録されたデータを外部に出力するための出力部５ｂと、個人情報カード１０を破砕処理する人を特定するＩＤコードを入力するための入力部５ｃとを有する。
【００１１】
ここで、記録部５ａは、たとえばＣＰＵとメモリとにより構成されている。また、出力部５ｂは、たとえば記録部５ａに記録されたデータを所定の記録媒体（たとえばフレキシブルディスクなど）に書き込むために記録媒体を駆動するドライバ５ｂ１と、記録部５ａに記録されたデータを外部の情報処理装置（不図示）に出力するための出力ポート５ｂ２とにより構成されている。
【００１２】
さらに、入力部５ｃは、たとえば個人情報カード１０を破砕処理する人のＩＤカード１１からＩＤコードを読み取るための第２リーダーにより構成されている。第２リーダー５ｃで読み取られたＩＤコードは、記録部５ａに伝送されて記録される。なお、ＩＤカード１１を用いることなく、たとえばキーボードのような他の入力手段を用いてＩＤコード（ＩＤ番号）を入力することもできる。
【００１３】
以上のように、本実施形態の管理破砕装置１では、個人情報カード１０の廃棄に際して、個人情報カード１０に記録された個人情報、個人情報カード１０を廃棄した時間の情報（記録部５ａの内部時計からの時間情報）、および個人情報カード１０を破砕処理した人を特定する情報が、情報管理部５の記録部５ａに記録される。
【００１４】
その結果、本実施形態の管理破砕装置１では、たとえばＩＣチップの再生などによる個人情報の漏洩を防止することができるだけでなく、個人情報カード１０にエンコードされたデータを履歴に残しながら廃棄することができるので、情報管理部５の記録部５ａに記録された種々の情報に基づいて、セキュリティの観点から個人情報カード１０の十分な廃棄管理を行うことができる。
【００１５】
【発明の効果】
以上説明したように、本発明では、セキュリティの観点から個人情報カードの十分な廃棄管理を行うことのできる管理破砕装置を実現することができる。
【図面の簡単な説明】
【図１】本発明の実施形態にかかる管理破砕装置の構成を概略的に示す図である。
【符号の説明】
１　管理破砕装置
２　リーダー
３　破砕部
４　ボックス
５　情報管理部
５ａ　記録部
５ｂ　出力部
５ｂ１　ドライバ
５ｂ２　出力ポート
５ｃ　入力部
１０　個人情報カード
１１　ＩＤカード
【図１】
2004054810.tif 000003